(57)【要約】【課題】環境配慮型で、製造コスト等が嵩まず、かつ表裏両面からでも像変化が視認可能でしかも視認される画像がデザイン性の向上にも優れた像変化機能を有する画像形成体の提供にある。【解決手段】所定の厚みＤを有する非塩ビ系の透明基材シート１０の表面に、隠蔽性を有し線幅ＷがピッチＰに対し略１対２の直線状万線パターン２０が施され、裏面には、該万線パターン２０と同方向に延びるＡ像とＢ像のスリット状画像２２、２４が万線パターン２０の各１ピッチ中に２分割されて直接並列に設けられている画像形成体１で、前記Ａ像とＢ像のスリット状画像２２、２４が透明乃至半透明性を有している像変化機能を有する画像形成体１である。【選択図】図１
2005134718.tif 000002
【特許請求の範囲】
【請求項１】
所定の厚みを有する透明基材シートの片面に、隠蔽性を有し線幅がピッチに対し略１対２の直線状万線パターンが施され、もう一方の面には、該万線パターンと同方向に延びる２種類のスリット状画像が該万線パターンの各１ピッチ中に２分割されて直接にもしくは一定間隔の空間をおいて並列に設けられている像変化機能を有する画像形成体であって、前記２種類のスリット状画像が透明性を有していることを特徴とする像変化機能を有する画像形成体。
【請求項２】
所定の厚みを有する透明基材シートの片面に、隠蔽性を有し線幅がピッチに対し略１対２の直線状万線パターンが施され、該万線パターン面から一定間隔の空間をおいて、該万線パターンと同方向に延びる２種類のスリット状画像が該万線パターンの各１ピッチ中に２分割されて並列に設けられている像変化機能を有する画像形成体であって、前記２種類のスリット状画像が透明性を有していることを特徴とする像変化機能を有する画像形成体。
【請求項３】
上記２種類のスリット状画像の外面に白色隠蔽層が施されていることを特徴とする請求項１または２記載の像変化機能を有する画像形成体。
【請求項４】
所定の厚みを有する透明基材シートの片面に、隠蔽性を有し線幅がピッチに対し略１対２の直線状万線パターンが施され、もう一方の面には、該万線パターンと同方向に延びる２種類のスリット状画像が該万線パターンに見当が合致する位置で、かつ該各万線パターンの幅内に２分割されて直接に並列に設けられている像変化機能を有する画像形成体であって、前記２種類のスリット状画像から一定間隔の空間をおいて、前記万線幅と略同一で同方向に延びる第３のスリット状画像が設けられていることを特徴とする像変化機能を有する画像形成体。
【発明の詳細な説明】
【技術分野】
【０００１】
本発明は、像変化機能を有する画像形成体に関するものであり、さらに詳細には、隠蔽性の直線状万線パターンを用い、コストが嵩まず幅広い用途と優れた像変化機能を有する画像形成体に関するものである。
【背景技術】
【０００２】
従来、像変化機能を有する画像形成体として、例えばポストカードやＰＯＰディスプレイ等にレンチキュラーレンズ（プラスチック製のかまぼこ型レンズ）を用いたチェンジや浮き文字等の製品があり、目または製品の位置変化で絵が変化したり、空中に文字が浮かぶようになるものがあり、この製品として、例えば図６の概略説明図に示すように、表面がかまぼこ型のスリット状レンズ群でなり、その裏面には、このかまぼこ型のスリット状レンズ群に見当が合致するように２（〜３）種類のＡ像とＢ像でなるスリット状画像（２２、２４）が形成されているものがあり、これは透明な塩化ビニル製のレンチキュラーレンズ（５０）を用いたチェンジ（５）と称される製品がある（例えば、非特許文献１参照。）。
【０００３】
以下に、上記先行技術文献を示す。
【非特許文献１】日本印刷学会編「印刷工学便覧」技報堂出版  １９８３年５月１日、Ｐ１１１８        〜１１２５  しかしながら、上記のレンチキュラーレンズ（５０）を用いた像変化機能を有するチェンジ（５）では、そのレンズ自体が高価で、かつ塩化ビニル製という環境に配慮されていないという問題があり、さらにこの製品では、かまぼこ型のスリット状レンズ群側からのみしか像変化等が視認できず、表裏両面からでも視認可能な像変化機能を有する画像形成体としての要望点を満たすことができないものであった。
【０００４】
また、像変化機能を有する画像形成体の一種で、例えばクレジットカード等カード類やブランド商品等の偽造防止を必要とする商品に付加する画像形成体として、画像や文字、数字等パターンでなる潜像が、視角によって顕像化する方法に、「万線モアレ」方式という技術を利用したものがある。
【０００５】
上記「万線モアレ」方式の技術により得られた製品の一事例として、例えば図７の正面図に示すように、幅とピッチが略１対２の万線パターンがハート型の潜像部（３０）とそれ以外の非潜像部（３２）とを形成し、図７に示すＡ部の部分拡大図として図８に示すように、潜像部（３０）と非潜像部（３２）の万線パターンの万線方向が同方向で、その位相を１／２ピッチずらしてあり、この像を万線モアレ像（３）といい、図９の正面拡大図に示すように、この万線と略同形状（万線幅（Ｗ）とピッチ（Ｐ））の万線パターンを有する万線フィルム（３４）を重ね合わせると、非潜像部（３２）がこの万線フィルム（３４）の万線パターンで隠され、図１０に示すように、潜像部（３０）のみがハート型の画像として浮かび上がって見えるようになるものである。
【０００６】
上記万線モアレ像（３）を偽造防止用として使用する場合、例えば図７に示すように、潜像部（３０）の近傍に例えば三角形の可視像（３６）を形成しておき、通常肉眼では三角形の可視像（３６）のみが見えているので、一見してこの可視像（３６）が偽造防止策と思わせるもので、実質の真偽判定は、図９に示すように、上記万線フィルム（３４）をこの万線モアレ像に万線方向とともに上下の見当を合わせ重ね合わせることによって、図
８に示すように、可視像（３６）に加えハート型の潜像部（３０）の有無で行うものである（例えば、特許文献１参照。）。
【０００７】
以下に、上記先行技術文献を示す。
【特許文献１】実公昭６２−２０３０７号公報  しかしながら、上記でその技術を詳述した「万線モアレ」の技術を利用した方法では、潜像部の顕像化（真偽の判定）あるいは像変化に別途用意された万線パターンが施された万線フィルムを必要とし、この顕像化（真偽の判定）あるいは像変化に際し、万線フィルムと潜像部を有する印刷物との見当合わせやこの万線フィルムを重ね合わせといった煩わしさがあり、偽造防止性には効果があるが、一般の顧客にはこの万線パターンの印刷物の潜像部が視認出来ないので、デザイン効果には欠けるもので、この「万線モアレ」の技術を利用した方法の用途や使用される製品が、上記のような株券、商品券さらにはクレジットカード等有価証券類等に制限されるものであった。
【発明の開示】
【発明が解決しようとする課題】
【０００８】
本発明は、かかる従来技術の問題点と要望点を解決するものであり、その課題とするところは、環境に配慮され、製造コスト等が嵩まず、かつ両面からでも像変化が視認可能でしかも視認される画像がデザイン性の向上にも優れた幅広い用途を持つ像変化機能を有する画像形成体を提供することにある。
【課題を解決するための手段】
【０００９】
本発明に於いて上記課題を達成するために、まず請求項１の発明では、所定の厚みを有する透明基材シートの片面に、隠蔽性を有し線幅がピッチに対し略１対２の直線状万線パターンが施され、もう一方の面には、該万線パターンと同方向に延びる２種類のスリット状画像が該万線パターンの各１ピッチ中に２分割されて直接にもしくは一定間隔の空間をおいて並列に設けられている像変化機能を有する画像形成体であって、前記２種類のスリット状画像が透明性を有していることを特徴とする像変化機能を有する画像形成体としたものである。
【００１０】
また、請求項３の発明では、所定の厚みを有する透明基材シートの片面に、隠蔽性を有し線幅がピッチに対し略１対２の直線状万線パターンが施され、該万線パターン面から一定間隔の空間をおいて、該万線パターンと同方向に延びる２種類のスリット状画像が該万線パターンの各１ピッチ中に２分割されて並列に設けられている像変化機能を有する画像形成体であって、前記２種類のスリット状画像が透明性を有していることを特徴とする像変化機能を有する画像形成体としたものである。
【００１１】
また、請求項３の発明では、上記２種類のスリット状画像の外面に白色隠蔽層が施されていることを特徴とする請求項１または２記載の像変化機能を有する画像形成体としたものである。
【００１２】
また、請求項３の発明では、所定の厚みを有する透明基材シートの片面に、隠蔽性を有し線幅がピッチに対し略１対２の直線状万線パターンが施され、もう一方の面には、該万線パターンと同方向に延びる２種類のスリット状画像が該万線パターンに見当が合致する位置で、かつ該各万線パターンの幅内に２分割されて直接並列に設けられている像変化機能を有する画像形成体であって、前記２種類のスリット状画像から一定間隔の空間をおいて、前記万線パターン幅と略同一で同方向に延びる第３のスリット状画像が設けられていることを特徴とする像変化機能を有する画像形成体としたものである。
【発明の効果】
【００１３】
本発明は以上の構成であるから、下記に示す如き効果がある。
【００１４】
即ち、上記請求項１に係る発明によれば、所定の厚みを有する透明基材シートの片面に、隠蔽性を有し線幅がピッチに対し略１対２の直線状万線パターンが施され、もう一方の面には、該万線パターンと同方向に延びる２種類のスリット状画像が該万線パターンの各１ピッチ中に２分割されて直接にもしくは一定間隔の空間をおいて並列に設けられている像変化機能を有する画像形成体で、前記スリット状画像が透明性を有しているので、視認する角度あるいは画像形成体の角度を変えることによって、２種類のスリット状画像のうちの一種類の画像が隠蔽性を有する直線状万線パターンに遮られて、透過光下では、両面からでも像変化の視認が可能な、従来にない像変化機能を有する画像形成体を提供できる効果がある。
【００１５】
さらに、従来のように、塩化ビニル製でなるレンチキュラーレンズを用いていないので、環境問題に配慮され、かつレンズ加工等の製造コスト等も嵩まないものを提供できる効果がある。
【００１６】
さらにまた、上記請求項１に係る発明によれば、従来の万線モアレ方式に比べ、隠れ文字や画像等の視認のために万線フィルムを別途用意する必要がなく、かつその万線フィルムとの見当合わせをも不必要なので、顧客にとっては煩わしさがなく、さらに各種画像がデザイン性にも優れている像変化機能を有する画像形成体を提供できる効果がある。
【００１７】
また、上記請求項２に係る発明によれば、所定の厚みを有する透明基材シートの片面に、隠蔽性を有し線幅がピッチに対し略１対２の直線状万線パターンが施され、該万線パターン面から一定間隔の空間をおいて、該万線パターンと同方向に延びる２種類のスリット状画像が該万線パターンの各１ピッチ中に２分割されて並列に設けられている像変化機能を有する画像形成体で、前記スリット状画像が透明性を有しているので、視認する角度あるいは画像形成体の角度を変えることによって、２種類のスリット状画像のうちの一種類の画像が隠蔽性を有する直線状万線パターンに遮られて、透過光下では、両面からでも像変化の視認が可能な、従来にない像変化機能を有する画像形成体を提供できる効果がある。
【００１８】
さらにまた、上記請求項２に係る発明によれば、２種類のスリット状画像が万線パターン面から一定間隔の空間をおいて設けられているので、この２種類のスリット状画像のみを取り替えて別商品等とすることができ、商品等の付加価値を向上させることもできる効果もある。
【００１９】
また、上記請求項３に係る発明によれば、上記２種類のスリット状画像の外面に白色隠蔽層を施したものとすることによって、裏面すなわち２種類のスリット状画像側からは、像変化の視認は不可能であるが、表面すなわち万線パターン面側からは視角を変えて視認すると、反射光下では２種類のスリット状画像が白色隠蔽層（白色紙でもよい）により明るく濃度のある像として視認可能な像変化機能を有する画像形成体を提供できる効果がある。
【００２０】
さらにまた、上記請求項４に係る発明によれば、所定の厚みを有する透明基材シートの片面に、隠蔽性を有し線幅がピッチに対し略１対２の直線状万線パターンが施され、もう一方の面には、該万線パターンと同方向に延びる２種類のスリット状画像が該万線パターンに見当が合致する位置で、かつ該各万線パターンの幅内に２分割されて直接に並列に設けられている像変化機能を有する画像形成体で、前記２種類のスリット状画像から一定間
隔の空間をおいて、前記万線パターン幅と略同一で同方向に延びる第３のスリット状画像が設けられている像変化機能を有する画像形成体としたので、表面すなわち隠蔽性を有する万線パターン面側の真上から視認すると、２種類のスリット状画像は隠蔽性を有する万線パターンで遮られ、第３のスリット状画像のみが視認されるが、表面側の斜めから視角を変えると第３のスリット状画像上に交わるように、もしくは第３のスリット状画像の間に２種類のうちの１種類のスリット状画像が視認されるようになるので、偽造防止の効果をも有し、さらに３種類の像変化をも可能にする像変化機能を有する画像形成体を提供できる効果がある。
【００２１】
従って本発明は、万線パターンを用いた像変化機能を有する画像形成体として、例えば広告用等ディスプレイや偽造防止が施されたカード等の如き用途において、優れた実用上の効果を発揮する。
【発明を実施するための最良の形態】
【００２２】
以下本発明を実施するための最良の形態を図面を用いて詳細に説明する。
【００２３】
図１は、本発明の像変化機能を有する画像形成体の一事例の説明図であり、図２は、その像変化機能を有する画像形成体の視角変化による平面図である。また図３、図４、図５および図６は、本発明の像変化機能を有する画像形成体の他の事例を側断面図で表した説明図である。
【００２４】
上記請求項１に係る発明は、例えば、図１（ａ）の斜視図およびこの図１（ａ）のＢ−Ｂ断面を表す図１（ｂ）に示すように、一定の厚み（Ｄ）を有する透明基材シート（１０）の表面に、隠蔽性の万線パターン（２０）が形成されていて、線幅（Ｗ）がそのピッチ（Ｐ）に対し略１対２でなる直線状万線パターン（２０）で構成されている。
【００２５】
さらに、この透明基材シート（１０）の裏面には、上記万線パターン（２０）と同方向に延びるＡ像のスリット状画像（２２）とＢ像のスリット状画像（２４）が形成されている。そしてこれら２種類のスリット状画像（２２、２４）は、この万線パターン（２０）の各１ピッチ（Ｐ）中に並列に２分割され、透明基材シート（１０）の裏面に直接形成されていて、このＡ像のスリット状画像（２２）とＢ像のスリット状画像（２４）が、透明乃至半透明性を有している像変化機能を有する画像形成体（１）である。
【００２６】
上記のように、Ａ像のスリット状画像（２２）とＢ像のスリット状画像（２４）を透明乃至半透明性とすることによって、例えば図１（ｂ）に示すように、上部右斜め上（Ａ１）から下部の透過光下で見ると、例えば図２（ａ）の平面図に示すように、「人間の顔」でなるＢ像のスリット状画像（２４）が隠蔽性を有する万線パターン（２０）に遮られ、「Ｔ」の字でなるＡ像のスリット状画像（２２）のみを視認することができ、また、例えば図１（ｂ）に示すように、上部左斜め上（Ｂ１）から下部の透過光下で見ると、図２（ｂ）の平面図に示すように、「Ｔ」の字でなるＡ像のスリット状画像（２２）が隠蔽性を有する万線パターン（２０）に遮られ、「人間の顔」でなるＢ像のスリット状画像（２４）のみを視認することができる。
【００２７】
また、上記のように、Ａ像のスリット状画像（２２）とＢ像のスリット状画像（２４）を透明乃至半透明性とすることによって、例えば図１（ｂ）に示すように、下部左斜め下（Ａ２）から上部の透過光下で見ると、例えば図２（ａ）の平面図に示すように、「人間の顔」でなるＢ像のスリット状画像（２４）が隠蔽性を有する万線パターン（２０）に遮られ、「Ｔ」の字でなるＡ像のスリット状画像（２２）のみを視認することができ、また、例えば図１（ｂ）に示すように、下部右斜め下（Ｂ２）から上部の透過光下で見ると、図２（ｂ）の平面図に示すように、「Ｔ」の字でなるＡ像のスリット状画像（２２）が隠
蔽性を有する万線パターン（２０）に遮られ、「人間の顔」でなるＢ像のスリット状画像（２４）のみを視認することができる。
【００２８】
即ち、上記請求項１に係る発明においては、透過光下において、表裏両面からでも像変化の視認が可能なもので、従来にない像変化機能を有する画像形成体（１）とすることができる効果がある。
【００２９】
なお、図２（ａ）および図２（ｂ）に示すように、万線パターン（２０）の延びる方向に対し、「Ｔ」の字でなるＡ像のスリット状画像（２２）と「人間の顔」でなるＢ像のスリット状画像（２４）が正常な向き（上下関係）となっているが、サイズの大きいディスプレイ等の場合は、特に問題はないが、ポストカード等の如きサイズが小さくなると、人間の目は両眼でるため、「Ｔ」の字でなるＡ像のスリット状画像（２２）と「人間の顔」でなるＢ像のスリット状画像（２４）との像変化の切れが悪くなるので、万線パターン（２０）の延びる方向に対し垂直方向に正常な向き（上下関係）とした方が好ましく、さらに両像のスリット状画像（２２、２４）の左右の向き関係は、表裏両面から視認した場合、不自然（文字、数字等で逆字となる）なスリット状画像（２２、２４）とならないように企画する必要がある。
【００３０】
さらにまた、上記請求項１に係る発明では、例えば、図３の側断面図に示すように、薄手の一定厚み（Ｄ１）を有する透明基材シート（１０）の表面に、隠蔽性の万線パターン（２０）が形成されていて、線幅（Ｗ）がそのピッチ（Ｐ）に対し略１対２でなる直線状万線パターン（２０）で構成されている。
【００３１】
さらに上記透明基材シート（１０）の裏面から一定の空間（１２）を介して上記万線パターン（２０）と同方向に延びるＡ像のスリット状画像（２２）とＢ像のスリット状画像（２４）が、例えば透明ケースの底部を形成する透明なバック基材シート（１１）上に形成されている。そしてこれら２種類のスリット状画像（２２、２４）は、この万線パターン（２０）の各１ピッチ（Ｐ）中に並列に２分割されるように形成されていて、このＡ像のスリット状画像（２２）とＢ像のスリット状画像（２４）が、透明性を有している像変化機能を有する画像形成体（１）とすることもできる。
【００３２】
上記本発明の像変化機能を有する画像形成体（１）を構成する隠蔽性を有する直線状の万線パターン（２０）としては、例えば酸化チタン等を主体とした白色顔料、あるいはカーボンブラックを主体とした黒色顔料でなる各種（平版オフセット、グラビア、凸版、スクリーン等）印刷インキで形成することができ、これにプロセスインキが含有していてもよい。また、銀塩画像でなり、写真的に形成される万線フィルムであってもよく、隠蔽性を有するものであれば、これらに限定するものではない。
【００３３】
また、本発明の像変化機能を有する画像形成体（１）を構成する透明性を有する２種類のスリット状画像（２２、２４）としては、一般的な各種（オフセット、グラビア等）３色のプロセスインキ（黄、紅、藍）とこれらの混合による混墨を用いて各種印刷方式で形成することができ、あるいは透明性に優れるインクジェット用インキを用い、インクジェット方式によって形成することもできる。
【００３４】
また、本発明の像変化機能を有する画像形成体（１）を構成する透明基材シート（１０）としては、例えばアクリル系、ポリエステル、ポリスチレン、ポリカーボネート、ナイロン等プラスチック類、あるいはガラス類などが挙げられ、用途等によって適宜選定され、この透明基材シート（１０）の所定の厚み（Ｄ）としては、図１（ｂ）に示すように、万線パターン（２０）の線幅（Ｗ）に依存され、その線幅（Ｗ）は、例えばＰＯＰディスプレイでは大きく、ポカトカード等では小さいように、そのサイズや用途等によって、大
きく異なるものである。そこでこの万線パターン（２０）の線幅（Ｗ）と透明基材シート（１０）の所定の厚み（Ｄ）との関係は、おおよそＤ＝１〜４Ｗで、好ましくは２〜３Ｗが２種のうちの１つの像が万線パターン（２０）で遮られ、もう一つの像のみが視認される、所謂２種の像がきれのよい画像として視認することができる。この厚み（Ｄ）が小さ過ぎると、見る角度を極端に振る必要があり、逆に大き過ぎると、２つの像にきれが悪く、混じったようになるので好ましくない。
【００３５】
また、図３に示す場合の万線パターン（２０）と２種類のスリット状画像（２２、２４）との距離、すなわち透明基材シート（１０）の薄手の厚み（Ｄ１）とその下の一定間隔の空間（１２）の厚みとを合わせた距離も、上記万線パターン（２０）の線幅（Ｗ）と同様の関係にあることが好ましい。
【００３６】
また、上記請求項２に係る発明は、例えば図４（ａ）の側断面図に示すように、薄手の一定厚み（Ｄ１）を有する透明基材シート（１０）の裏面に、隠蔽性の万線パターン（２０）が形成されていて、線幅（Ｗ）がそのピッチ（Ｐ）に対し略１対２でなる直線状万線パターン（２０）で構成されている。
【００３７】
さらに上記透明基材シート（１０）の裏面、即ち万線パターン（２０）面から一定の空間（１２）を介して上記万線パターン（２０）と同方向に延びるＡ像のスリット状画像（２２）とＢ像のスリット状画像（２４）が、例えば透明ケースの底部を形成する透明なバック基材シート（１１）上に形成されている。そしてこれら２種類のスリット状画像（２２、２４）は、この万線パターン（２０）の各１ピッチ（Ｐ）中に並列に２分割されるように形成されていて、このＡ像のスリット状画像（２２）とＢ像のスリット状画像（２４）が、透明性を有している像変化機能を有する画像形成体（１）とするものである。
【００３８】
また、上記請求項２に係る発明では、例えば図４（ｂ）の側断面図に示すように、上記透明基材シート（１０）の裏面、即ち万線パターン（２０）面から一定の空間（１２）を介して上記万線パターン（２０）と同方向に延びるＡ像のスリット状画像（２２）とＢ像のスリット状画像（２４）を、例えば透明ケースの底部を形成する透明なバック基材シート（１１）の裏面に設けた形態の像変化機能を有する画像形成体（１）とすることもできる。
【００３９】
また、上記請求項３に係る発明は、例えば、図５（ａ）に示すように、透明基材シート（１０）の表面には直線状の万線パターン（２０）が形成されていて、裏面には、前記万線パターン（２０）と同方向に延びるＡ像のスリット状画像（２２）とＢ像のスリット状画像（２４）が形成されていて、このＡおよびＢ像のスリット状画像（２２、２４）は、この万線パターン（２０）の各１ピッチ（Ｐ）中に並列に２分割されている像変化機能を有する画像形成体（１）で、このＡおよびＢ像のスリット状画像（２２、２４）の外面に白色インキでなる白色隠蔽層（１４）が施されていることを特徴とするものである。この白色隠蔽層（１４）をアート紙等白色用紙を用い、この上にＡおよびＢ像のスリット状画像（２２、２４）を印刷等で形成し、この印刷面を透明基材シート（１０）に接着したものとしてもよい。
【００４０】
あるいはまた、上記請求項３に係る発明は、例えば、図５（ｂ）に示すように、表面に直線状の万線パターン（２０）が形成されている透明基材シート（１０）の裏面に、一定間隔の空間（１２）を介して、白色用紙でなる白色隠蔽層（１４）上にＡおよびＢ像のスリット状画像（２２、２４）が配置されている像変化機能を有する画像形成体（１）とすることもできる。なお、この場合の白色用紙でなる白色隠蔽層（１４）を固定するために、例えば透明ケース等でなる透明なバック基材シート（１１）上に配置するとよい。
【００４１】
このように一定間隔の空間（１２）をおいて白色用紙でなる白色隠蔽層（１４）上に形成されたＡおよびＢ像のスリット状画像（２２、２４）がバック基材シート（１１）上に配置したものとすることによって、ＡおよびＢ像のスリット状画像（２２、２４）のみを取り替え可能な像変化機能を有する画像形成体（１）とすることができる。
【００４２】
以上のように、上記請求項３に係る発明においては、ＡおよびＢ像のスリット状画像（２２、２４）の外面に白色隠蔽層（１４）を施したものとすることによって、裏面からは、像変化の視認は不可能であるが、表面すなわち万線パターン（２０）面側からは視角を変えて視認すると、反射光によりＡおよびＢ像のスリット状画像（２２、２４）が白色隠蔽層（１４）により明るくかつ濃度のある像として視認可能な像変化機能を有する画像形成体（１）とすることができる。
【００４３】
さらにまた、上記請求項４に係る発明は、例えば、図５の側断面図に示すように、比較的小さい一定の厚み（Ｄ１）を有する透明基材シート（１０）の表面に、隠蔽性の万線パターン（２０）が形成されていて、線幅がそのピッチに対し略１対２でなる直線状万線パターン（２０）で構成されていて、この透明基材シート（１０）の裏面には、上記万線パターン（２０）と同方向に延びるＡ像のスリット状画像（２２）とＢ像のスリット状画像（２４）が、この万線パターン（２０）の真下の位置で見当が合致し、かつこれら各万線パターン（２０）の幅内に２分割されて直接に設けられている。
【００４４】
さらに、上記Ａ像のスリット状画像（２２）とＢ像のスリット状画像（２４）面から一定間隔の空間（１２）を介して、上記万線パターン（２０）の幅と略同一で同方向に延びるＣ像のスリット状画像（２６）をバック基材シート（１１）上に設けて、Ａ、Ｂ、Ｃ像の３種の像変化が視認できる像変化機能を有する画像形成体（１）とするものである。
【００４５】
上記ＡおよびＢ像のスリット状画像（２２、２４）、Ｃ像のスリット状画像（２６）およびバック基材シート（１１）を透明なものとし、裏面からも透過光下で各像の像変化を視認することができるようにすることもできるが、上記Ａ、Ｂ像それぞれのスリット状画像（２２、２４）は、多くても万線パターン（２０）の半分の面積しかないので、濃度が薄くなり実質的には、用途が限定される危惧がある。
【００４６】
このような背景から、ＡおよびＢ像のスリット状画像（２２、２４）は、不透明でかつ黒色等の高濃度の文字、数字あるいはロゴマーク等の画像とすることが好ましく、逆にＣ像のスリット状画像（２６）としては、比較的明るいカラー画像とし、上部から視角を変えると、このＣ像のスリット状画像（２６）中に、黒色等の高濃度の文字、数字あるいはロゴマーク等の印刷画像あるいは銀塩画像がくっきりと浮かび上がるようになり、偽造防止効果をも向上せしめる像変化機能を有する画像形成体（１）とすることができる。従ってこの場合のバック基材シート（１１）は、コートボール、コートアイボリー等白色系の板紙やアート紙等とし、この上にプロセスインキによる印刷あるいはインクジェット方式によってＣ像のスリット状画像（２６）を形成したものが好適である。
【００４７】
上記請求項４に係る発明の像変化機能を有する画像形成体（１）において、ＡおよびＢ像のスリット状画像（２２、２４）を隠し文字等として偽造防止等に利用する場合、図５に示す透明基材シート（１０）の薄手の一定厚み（Ｄ１）としては、万線パターン（２０）の幅と同程度あるいはそれ以下とすることが好ましく、このことによって、相当斜め上からでないと、この隠し文字が視認できないようにした像変化機能を有する画像形成体（１）とすることができる。
【００４８】
以上のような構成の像変化機能を有する画像形成体（１）は、例えば駅、道路、商店街等の看板や広告板（ディスプレイ）として、あるいはステンドガラスや窓ガラスの装飾と
して利用が可能であり、またＣＤ、ＭＯ、ＤＶＤ等のプラスチックケースにあるいは商品そのものに直接印刷又は銀塩画像等を設けて、偽造防止効果やデザイン効果を狙ったものに利用できる。
【図面の簡単な説明】
【００４９】
【図１】本発明の像変化機能を有する画像形成体の一実施の形態を示すもので、（ａ）は、その拡大斜視図であり、（ｂ）は、（ａ）のＢ−Ｂ面を表す断面図である。
【図２】本発明の像変化機能を有する画像形成体の一実施の形態を示すもので、（ａ）は、その斜め右上または斜め左下から視認される正面図であり、（ｂ）は、その斜め左上または斜め右下から視認される正面図である。
【図３】本発明の像変化機能を有する画像形成体の他の一事例を示す側断面図である。
【図４】本発明の像変化機能を有する画像形成体の他の一事例を示すもので、（ａ）は、その側断面図であり、（ｂ）は、他の構成でなる側断面図であり、
【図５】本発明の像変化機能を有する画像形成体のさらに他の一事例を示すもので、（ａ）は、その側断面図であり、（ｂ）は、他の構成でなる側断面図であり、
【図６】本発明の像変化機能を有する画像形成体のさらに他の一事例を示す側断面図である。
【図７】従来の像変化機能を有する画像形成体の一事例を側断面で表した説明図である。
【図８】従来の画像形成体を構成する万線モアレ像の一事例を説明するための正面図である。
【図９】図８に示す万線モアレ像の正面図のＡ部の部分拡大図である。
【図１０】万線モアレ像に万線フィルムを重ね合わせた一事例を説明するための正面拡大図である。
【図１１】万線モアレ像に万線フィルムを重ね合わせた際に浮き上がって見える潜像部の一事例を示す正面図である。
【符号の説明】
【００５０】
１‥‥像変化機能を有する画像形成体
３‥‥万線モアレ像
５‥‥チェンジ
１０‥‥透明基材シート
１１‥‥バック基材シート
１２‥‥一定間隔の空間
１４‥‥白色隠蔽層
２０‥‥直線状の万線パターン
２２‥‥Ａ像のスリット画像
２４‥‥Ｂ像のスリット画像
２６‥‥Ｃ像のスリット画像
３０‥‥潜像部
３０ａ‥‥ハート型の顕像部
３２‥‥非潜像部
３４‥‥万線フィルム
３６‥‥可視像
５０‥‥レンチキュラーレンズ
Ｄ‥‥透明基材シートの厚み
Ｄ１‥‥薄手の透明基材シートの厚み
Ｐ‥‥万線パターンのピッチ
Ｗ‥‥画像形成体の万線パターンの線幅
【図１】
2005134718.tif 000003
【図２】
2005134718.tif 000004
【図３】
2005134718.tif 000005
【図４】
2005134718.tif 000006
【図５】
2005134718.tif 000007
【図６】
2005134718.tif 000008
【図７】
2005134718.tif 000009
【図８】
2005134718.tif 000010
【図９】
2005134718.tif 000011
【図１０】
2005134718.tif 000012
【図１１】
2005134718.tif 000013